(57)【特許請求の範囲】
【請求項１】
衛星系システムと無線接続される移動局、地上系システムと無線接続される移動局、並びにこれら２つの移動局に着信要求を送出する一般電話網からなる移動通信システムの接続制御方法であって、
それぞれの移動局が対応するシステム系に位置登録をするステップと、
一方の移動局に対して指定されたメモリアドレスに当該移動局の位置登録の情報を記憶するステップと、
前記指定されたメモリアドレスに他方の移動局の識別情報を記憶するステップと、
前記一般電話網からの着信要求に応じて両方の移動局に対して指定されているメモリアドレスにおける位置登録の情報を検索するステップと、
一般電話網からの着信要求に応じて２つの移動局に対して指定されているメモリアドレスにおける位置登録の情報を検索し、当該検索した位置登録の情報に応じて２つの移動局に対して発呼し、先に応答した移動局に接続する移動局に着信するステップと、
を有する移動通信システムの接続制御方法。
【請求項２】
衛星系システムと無線接続される移動局、地上系システムと無線接続される移動局、並びにこれら２つの移動局に着信要求を送出する一般電話網からなる移動通信システムの接続制御方法であって、
それぞれの移動局が対応するシステム系に位置登録をするステップと、
一方の移動局に対して指定されたメモリアドレスに当該移動局の位置登録の情報を記憶するステップと、
前記指定されたメモリアドレスに他方の移動局の識別情報を記憶するステップと、
前記一般電話網からの着信要求に応じていずれか一方の移動局に対して指定されているメモリアドレスにおける位置登録の情報を検索するステップと、
当該検索された位置登録の情報によって当該移動局に着信できない場合には当該位置登録の情報のメモリアドレスに記憶されている他方の移動局の識別情報を検索するステップと、
当該検索された識別情報に応じて当該他方の移動局に着信するステップと、
他方の移動局に着信するステップは、当該着信処理に先だって当該他方の移動局への接続によって発生する電話料金の課金先の指定を発信側又は着信側に問い合わせることを特徴とする移動通信システムの接続制御方法。
【請求項３】
衛星系システムと無線接続される衛星シングル移動局、地上系システムと無線接続されるセルラー移動局、並びにこれら２つの移動局に着信要求を送出する一般電話網からなる移動通信システムの接続制御方法であって、
前記衛星シングル移動局からの位置登録に応じて衛星系メモリに当該位置登録の情報を記憶するステップと、
前記セルラー移動局からの位置登録に応じてセルラー系メモリに当該位置登録の情報を記憶するステップと、
前記衛星シングル移動局から位置登録がされたときは前記地上系システムに対して前記セルラー系メモリにおける前記セルラー移動局の位置登録の情報を無効にする無効信号を送出するステップと、
前記衛星シングル移動局から位置登録の解除がされたときは前記地上系システムに対して前記無効信号によって無効にされていた前記セルラー系メモリにおける前記セルラー移動局の位置登録の情報を有効にする有効信号を送出するステップと、
を有する移動通信システムの接続制御方法。
【請求項４】
無効信号を送出するステップ及び有効信号を送出するステップは、衛星系システムによって実行されることを特徴とする請求の範囲第３項記載の移動通信システムの接続制御方法。
【請求項５】
無効信号を送出するステップ及び有効信号を送出するステップは、衛星系システム及び地上系システムを管理する一般電話網によって実行されることを特徴とする請求の範囲第３項記載の移動通信システムの接続制御方法。
【請求項６】
一般電話網は、衛星系メモリに記憶されている情報を一般メモリに記憶するステップと、当該一般メモリに記憶された情報に基づいて衛星シングル移動局及びセルラー移動局に対する接続制御を行うステップとを有することを特徴とする請求の範囲第３項記載の移動通信システムの接続制御方法。
【請求項７】
位置登録の情報を記憶するステップは、複数系統の衛星系システム及び複数系統の地上系システムの各システムごとに対応する移動局の位置登録の情報を記憶し、着信要求に応じて位置登録されたいずれかのシステムを介して対応する移動局に接続制御を行うステップとを有することを特徴とする請求の範囲第３項記載の移動通信システムの接続制御方法。
【請求項８】
衛星系システムと無線接続される衛星シングル移動局、地上系システムと無線接続されるセルラー移動局、並びにこれら２つの移動局に着信要求を送出する一般電話網からなる移動通信システムの接続制御方法であって、
前記衛星シングル移動局からの位置登録に応じて衛星系メモリに当該位置登録の情報を記憶するステップと、
前記セルラー移動局からの位置登録に応じてセルラー系メモリに当該位置登録の情報を記憶するステップと、
前記セルラー移動局から位置登録がされたときは前記衛星系システムに対して前記衛星系メモリにおける前記衛星シングル移動局の位置登録の情報を無効にする無効信号を送出するステップと、
前記セルラー移動局から位置登録の解除がされたときは前記衛星系システムに対して前記無効信号によって無効にされていた前記衛星系メモリにおける前記衛星シングル移動局の位置登録の情報を有効にする有効信号を送出するステップと、
を有する移動通信システムの接続制御方法。
【請求項９】
無効信号を送出するステップ及び有効信号を送出するステップは、地上系システムによって実行されることを特徴とする請求の範囲第８項記載の移動通信システムの接続制御方法。
【請求項１０】
無効信号を送出するステップ及び有効信号を送出するステップは、衛星系システム及び地上系システムを管理する一般電話網によって実行されることを特徴とする請求の範囲第８項記載の移動通信システムの接続制御方法。
【請求項１１】
一般電話網は、セルラー系メモリに記憶されている情報を一般メモリに記憶するステップと、当該一般メモリに記憶された情報に基づいて衛星シングル移動局及びセルラー移動局に対する接続制御を行うステップとを有することを特徴とする請求の範囲第８項記載の移動通信システムの接続制御方法。
【請求項１２】
位置登録の情報を記憶するステップは、複数系統の衛星系システム及び複数系統の地上系システムの各システムごとに対応する移動局の位置登録の情報を記憶し、着信要求に応じて位置登録されたいずれかのシステムを介して対応する移動局に接続制御を行うステップとを有することを特徴とする請求の範囲第８項記載の移動通信システムの接続制御方法。
【発明の詳細な説明】
【技術分野】
【０００１】
この発明は、移動通信システムの接続制御方法に関するものである。
【背景技術】
【０００２】
移動通信システムの中には、地上系システムだけでなく衛星系システムを利用して移動局（移動機）に対する接続制御方法を行うシステムがある。例えば、特許文献１、特許文献２には、地上系システム及び衛星系システムを利用した接続制御方法が記載されている。
【０００３】
図１は、特許文献１に記載されている「衛星系／地上系統合移動体通信システム」のシステム構成図であり、図において、１０１は衛星系無線基地局、１０２は衛星、１０３は衛星系サービスエリア、１０４は地上系無線基地局、１０５は地上系サービスエリア、１０６（１０６Ａ，１０６Ｂ）はデュアルモード移動局、１０７は衛星系交換局、１０８は地上系交換局、１０９はホームメモリ、１１０は移動通信網、１１１は一般電話網、１１２は地上系システム、１１３は衛星系システムである。
【０００４】
デュアルモード移動局１０６Ａとデュアルモード移動局１０６Ｂとは同一のシステム構成であるが、モードに応じてデュアルモード移動局１０６Ａは地上系システム１１２との間で通信を行い、デュアルモード移動局１０６Ｂは衛星系システム１１３との間で通信を行う。
【０００５】
次に、動作について図２を参照して説明する。
地上系モードのデュアルモード移動局１０６（この場合は１０６Ａ）は、地上系システム１１２から報知情報１１４を受信すると、その報知情報１１４に基づいて輻輳を認知し、システム登録を変更すべきだと判断すると、システム登録要求１１５を衛星系システム１１３に送信する。
【０００６】
衛星系システム１１３は、ホームメモリ１０９に対してシステム登録要求１１５を送信して登録変更を要求する。ホームメモリ１０９は、この登録変更に応じて、デュアルモード移動局１０６Ａの登録を地上系から衛星系に変更し、登録変更完了を示すシステム登録応答１１６を衛星系システム１１３に通知する。
【０００７】
衛星系システム１１３は、このシステム登録応答１１６をデュアルモード移動局１０６Ａに送信する。デュアルモード移動局１０６Ａは、システム登録応答１１６を受信すると、システム登録変更が完了したと判断して、地上系モードから衛星系モードに機能を変更して、デュアルモード移動局１０６Ｂとして衛星系システム１１３に対して発呼情報１１７を送信する。
【０００８】
このようにして、デュアルモード移動局１０６は、地上系システム１１２から衛星系システム１１３に変更することで、地上系システム１１２の輻輳を回避することができる。
【０００９】
図３は、特許文献２に記載されている「移動機及び交換局及び移動通信システム」のシステム構成図であり、図において、２０１は公衆網、２０２は自営システム、２０３は交換機、２０４（２０４Ａ，２０４Ｂ，２０４Ｃ）は無線基地局、２０５は移動機、２０６は衛星、２０７は衛星地球局、２０８は衛星２０６と衛星地球局２０７とを接続する衛星基幹回線、２０９は公衆網２０１に接続されている加入者電話、２１０は移動機２０５と衛星２０６とを接続する無線通信路、２１１は移動機２０５と無線基地局２０４とを接続する無線通信路である。
【００１０】
次に動作について説明する。
移動機２０５は、自営システム２０２、公衆網２０１及び衛星２０６のいずれにも接続可能であり、接続を必要とするシステムの受信レベルを測定し、その受信レベルに応じて決定した優先度に従ってそのシステムに接続する。無線基地局２０４は、自営システム２０２において移動機２０５との無線通信及び交換機２０３との有線通信により、移動機２０５と交換機２０３との間の通信路を確立する。
【００１１】
交換機２０３は、自営システム２０２、公衆網２０１、衛星２０６を利用する衛星システム、他の自営システム（図示せず）との間で通信を行うためのプロトコルを備えており、対象となる移動機２０５によって選択されたシステムに対応したプロトコルで通信処理を行う。例えば、交換機２０４Ｂと通信を行っていた移動機２０５が、自営システム２０２のサービスエリアの圏外に移動し、かつ、その移動先において公衆網２０１に接続できない場合には、交換機２０３は公衆網２０１に対して衛星回線の設定を要求し、公衆網２０１を介して衛星地球局２０７にローミング（通信移管）情報及び課金情報を伝送することによって、自営システム２０２から衛星システムへのローミングを行う。
【００１２】
したがって、上記システムにおいても、移動機２０５は自営システム２０２又は公衆網２０１の地上系システムと衛星システムの双方に接続可能なデュアルモード移動局を構成し、地上系システムに接続できない場合には、衛星系システムに変更することで、通信を行うことができる。
【００１３】
従来の移動通信システムにおける接続制御方法は以上のように構成されているので、デュアルモード移動局を用いてデュアル機能を活用することはできるが、衛星系の衛星シングル移動局と地上系のセルラー移動局を用いてデュアル機能を活用することはできなかった。
【００１４】
特許文献１に記載されている接続制御方法においては、一方のシステムが輻輳した場合に他方のシステムに切替えることはできても、ユーザがセルラー移動局をオン（待ち受け状態）にしてセルラーサービスエリアに置いた状態で、そのユーザが衛星シングル移動局を携帯してセルラーサービスエリアの圏外に移動した場合には、輻輳とは無関係であるので、衛星シングル移動局に着信することができないという課題があった。
【００１５】
特許文献２に記載されている接続制御方法においては、受信レベルに従って複数のシステムの優先度を設定しているため、ユーザがセルラー移動局をオンにしてセルラーサービスエリアに置いた状態で、衛星シングル移動局を携帯してセルラーサービスエリアの圏外に移動した際に、セルラー移動局の受信レベルより衛星シングル移動局の受信レベルの方が低い場合には、衛星シングル移動局に着信することができないという課題があった。
【００１６】
また、自営システムから衛星システムにローミング（通信移管）した時に報知情報とともに課金情報が伝送されるが、発信側か着信側のどちらがその課金に対して支払うのかは選択できないという課題があった。
【００１７】
この発明は上記のような課題を解決するためになされたものであり、以下の各機能を実現する接続制御方法を実現することを目的とする。
１．衛星シングル移動局とセルラー移動局の２つの移動局を用いたデュアル機能を可能にする。
２．セルラー移動局が待ち受け状態にある場合でも、衛星シングル移動局への着信機能を可能にする。
３．ユーザの希望する移動局の方への着信機能を可能にする。
４．課金を発信側にするか着信側にするかの選択機能を可能にする。
【００１８】
【特許文献１】
特開平０９−４６７５１号公報
【特許文献２】
特開平０７−１５４８５９号公報
【発明の開示】
【００１９】
この発明に係る移動通信システムの接続制御方法は、それぞれの移動局が対応するシステム系に位置登録をするステップと、一方の移動局に対して指定されたメモリアドレスに当該移動局の位置登録の情報を記憶するステップと、前記指定されたメモリアドレスに他方の移動局の識別情報を記憶するステップと、前記一般電話網からの着信要求に応じて両方の移動局に対して指定されているメモリアドレスにおける位置登録の情報を検索するステップと、一般電話網からの着信要求に応じて２つの移動局に対して指定されているメモリアドレスにおける位置登録の情報を検索し、当該検索した位置登録の情報に応じて２つの移動局に対して発呼し、先に応答した移動局に接続する移動局に着信するステップとを有する構成になっている。
【００２０】
このことによって、デュアル機能を利用して迅速な着信処理を可能にするという効果が
ある。
【００２１】
この発明に係る移動通信システムの接続制御方法は、それぞれの移動局が対応するシステム系に位置登録をするステップと、一方の移動局に対して指定されたメモリアドレスに当該移動局の位置登録の情報を記憶するステップと、前記指定されたメモリアドレスに他方の移動局の識別情報を記憶するステップと、前記一般電話網からの着信要求に応じていずれか一方の移動局に対して指定されているメモリアドレスにおける位置登録の情報を検索するステップと、当該検索された位置登録の情報によって当該移動局に着信できない場合には当該位置登録の情報のメモリアドレスに記憶されている他方の移動局の識別情報を検索するステップと、当該検索された識別情報に応じて当該他方の移動局に着信するステップと、他方の移動局に着信するステップは、当該着信処理に先だって当該他方の移動局への接続によって発生する電話料金の課金先の指定を発信側又は着信側に問い合わせる構成になっている。
【００２２】
このことによって、優先接続モードを設定する発信側で課金先を選択できるという効果がある。
【００２３】
この発明に係る移動通信システムの接続制御方法は、衛星シングル移動局からの位置登録に応じて衛星系メモリに当該位置登録の情報を記憶するステップと、セルラー移動局からの位置登録に応じてセルラー系メモリに当該位置登録の情報を記憶するステップと、衛星シングル移動局から位置登録がされたときは地上系システムに対してセルラー系メモリにおけるセルラー移動局の位置登録の情報を無効にする無効信号を送出するステップと、衛星シングル移動局から位置登録の解除がされたときは地上系システムに対して無効信号によって無効にされていたセルラー系メモリにおけるセルラー移動局の位置登録の情報を有効にする有効信号を送出するステップと、を有する構成になっている。
【００２４】
このことによって、衛星系システムが地上系システムを制御して、デュアル機能の相手であるセルラー移動局の位置登録を無効または有効とすることにより、衛星シングル移動局が衛星系システムに位置登録するだけで、地上システム系におけるセルラー移動局１５の位置登録を制御できるという効果がある。
【００２５】
この発明に係る移動通信システムの接続制御方法において、無効信号を送出するステップ及び有効信号を送出するステップは、衛星系システムによって実行されるような構成になっている。
【００２６】
このことによって、発信者の加入者電話が接続されている一般電話網が常に衛星系と地上系を管理しているので、発信者からの着信要求に対して効率的にデュアル機能を活用できるという効果がある。
【００２７】
この発明に係る移動通信システムの接続制御方法において、無効信号を送出するステップ及び有効信号を送出するステップは、衛星系システム及び地上系システムを管理する一般電話網によって実行されるような構成になっている。
【００２８】
このことによって、衛星系システム又は地上系システムの一方が他方を制御して、デュアル機能の相手である衛星シングル移動局の位置登録を無効または有効とすることにより、一方のシステム系の移動局がそのシステム系に位置登録するだけで、他方のシステム系における移動局の位置登録を制御できるという効果がある。
【００２９】
この発明に係る移動通信システムの接続制御方法において、一般電話網は、衛星系メモリに記憶されている位置登録の情報を一般メモリに記憶するステップと、当該一般メモリに記憶された情報に基づいて衛星シングル移動局及びセルラー移動局に対する接続制御を行うステップとを有する構成になっている。
【００３０】
このことによって、一般電話網は、位置登録の情報を検索する場合に、衛星系システムにその都度アクセスする必要がない。
【００３１】
この発明に係る移動通信システムの接続制御方法は、衛星シングル移動局からの位置登録に応じて衛星系メモリに当該位置登録の情報を記憶するステップと、セルラー移動局からの位置登録に応じてセルラー系メモリに当該位置登録の情報を記憶するステップと、セルラー移動局から位置登録がされたときは衛星系システムに対して衛星系メモリにおける前記衛星移動局の位置登録の情報を無効にする無効信号を送出するステップと、セルラー移動局から位置登録の解除がされたときは衛星系システムに対して無効信号によって無効にされていた衛星系メモリにおける衛星シングル移動局の位置登録の情報を有効にする有効信号を送出するステップとを有する構成になっている。
【００３２】
このことによって、デュアル機能の相手である衛星シングル移動局の位置登録を無効または有効とすることにより、セルラー移動局が地上系システムに位置登録するだけで、衛星系システムにおける衛星シングル移動局の位置登録を制御できるという効果がある。
【００３３】
この発明に係る移動通信システムの接続制御方法において、無効信号を送出するステップ及び有効信号を送出するステップは、地上系システムによって実行されるような構成になっている。
【００３４】
このことによって、地上系システムが衛星系システムを制御して、デュアル機能の相手である衛星シングル移動局の位置登録を無効または有効とすることにより、セルラー移動局が地上系システムに位置登録するだけで、衛星系システムにおける衛星シングル移動局の位置登録を制御できるという効果がある。
【００３５】
この発明に係る移動通信システムの接続制御方法において、一般電話網は、セルラー系メモリに記憶されている位置登録の情報を一般メモリに記憶するステップと、当該一般メモリに記憶された情報に基づいて衛星シングル移動局及びセルラー移動局に対する接続制御を行うステップとを有する構成になっている。
【００３６】
このことによって、一般電話網は、位置登録の情報を検索する場合に、地上系システムにその都度アクセスする必要がない。
【発明を実施するための最良の形態】
【００３７】
以下、この発明をより詳細に説明するために、この発明を実施するための最良の形態について、添付の図面に従って説明する。
参考例１．
図４はこの参考例１による移動通信システムの接続制御方法が適用されるシステム図であり、図において、１は衛星を管理する衛星系無線基地局、２は衛星シングル移動局と通信を行う衛星、３は衛星２の衛星系サービスエリア、４は衛星系無線基地局１に接続されている衛星系交換局、５は衛星系交換局４と他の網との間の通信を行う衛星通信網、６はこれらによって構築される衛星系システムである。
【００３８】
また、７はセルラー移動局と通信を行う地上系制御基地局、８は地上系制御基地局７の地上系サービスエリア、９は地上系制御基地局７と接続されている地上系交換局、１０は地上系交換局９と他の網との間の通信を行う移動通信網、１１はこれらによって構築される地上系システムである。
【００３９】
また、１２は一般系交換局、１３は一般系交換局１２と他の網との間の通信を行う一般電話網、１４は一般電話網１３に有線接続される加入者電話である。
【００４０】
そして、１５は地上系システム１１の地上系サービスエリア８の圏内において地上系制御基地局７と無線通信を行うセルラー移動局、１６は衛星系システムの衛星系サービスエリアの圏内において衛星２と無線通信を行う衛星シングル移動局、１７は共有メモリである。
【００４１】
次に動作について説明する。
セルラー移動局１５は地上系システム１１からの無線信号（搬送波）を常に受信し、その受信レベルが許容値以上である場合には、地上系サービスエリア８の圏内にいると判断し、地上系制御基地局７を介して地上系交換局９へ位置登録（システム登録）を行う。地上系交換局９は、その位置登録の情報を共有メモリ１７に記憶する。
【００４２】
衛星シングル移動局１６は衛星系システム６の無線信号を常に受信し、受信レベルが許容値以上である場合には、衛星系サービスエリア３の圏内にいると判断し、衛星２から衛星系無線基地局１を経由して衛星系交換局４へ位置登録を行う。衛星系交換局４は、その位置登録の情報を共有メモリ１７に記憶する。
【００４３】
デュアル機能を可能にするセルラー移動局１５と衛星シングル移動局１６の位置登録の情報は、双方の電話番号が同じである場合には共有メモリ１７の同じメモリアドレス内に記憶されるが、双方の電話番号が異なる場合には異なるメモリアドレス内に記憶される。
【００４４】
この場合において、セルラー移動局１５のメモリアドレス内には、セルラー移動局１５自身の位置登録情報、及び、デュアル機能の相手である衛星シングル移動局１６を識別する識別情報（この場合、電話番号又はその電話番号が記憶されたメモリアドレス）が記録される。
【００４５】
一方、衛星シングル移動局１６のメモリアドレス内には、衛星シングル移動局１６自体の位置登録の情報、及び、デュアル機能の相手であるセルラー移動局１５の識別情報、すなわちセルラー移動局１５の電話番号又はその電話番号が記憶されたメモリアドレスが記憶される。
【００４６】
図５はこの参考例１による接続制御方法を示すフローチャートである。
次に動作について説明する。
移動通信網１０は、一般電話網１３からデュアル機能を有する移動局への接続要求信号を受信したか否かを判別し（ステップＳＴ１）、受信したときは共有メモリ１７を検索して、まず衛星登録がされているか否かを判別する（ステップＳＴ２）。すなわち、着信時には衛星系を優先して、衛星シングル移動局１６が位置登録されているか否かを判別する。
【００４７】
衛星登録がされている場合には、衛星系交換局４に対して接続要求信号を送り、衛星系無線基地局１から衛星２を介して衛星シングル移動局１６に対して衛星着信処理を行う（ステップＳＴ３）。
【００４８】
一方、衛星シングル移動局１６が共有メモリ１７に位置登録されてない場合には、セルラー登録がされているか否かを判別する（ステップＳＴ４）。すなわち、セルラー移動局１５が位置登録されているか否かを判別する。セルラー登録されている場合には、地上系交換局９に対して接続要求信号を送り、地上系制御基地局７を介してセルラー移動局１５に対してセルラー着信処理を行う（ステップＳＴ５）。共有メモリ１７に衛星シングル移動局１６が位置登録されておらず、かつ、セルラー移動局１５も位置登録されていない場合には、移動通信網１０は一般電話網１３に対して、着信不可の信号を返す着信不可処理を行う（ステップＳＴ６）。
【００４９】
ステップＳＴ３における衛星着信処理、ステップＳＴ５におけるセルラー着信処理、又はステップＳＴ６における着信不可処理の後は、ステップＳＴ１に移行して、次の接続要求信号を待つ。
【００５０】
以上のような位置登録方法により、セルラー移動局１５と衛星シングル移動局１６の２つの移動局を用いて、いずれの移動局にも着信できる接続制御方法によりデュアル機能を可能にする。
【００５１】
参考例２．
上記参考例１では、着信時の動作を衛星系を優先する場合について説明したが、地上系を優先するようにしてもよい。
図６は、この参考例２による接続制御方法を示すフローチャートである。
【００５２】
次に動作について説明する。
移動通信網１０は、一般電話網１３からデュアル機能を有する移動局への接続要求信号を受信したか否かを判別し（ステップＳＴ１１）、受信したときは共有メモリ１７を検索して、まずセルラー登録がされているか否かを判別する（ステップＳＴ１２）。すなわち、着信時には地上系を優先して、セルラー移動局１５が位置登録されているか否かを判別する。
【００５３】
セルラー登録がされている場合には、地上系交換局９に対してセルラー接続要求信号を送り、地上系制御基地局７を介してセルラー移動局１５に対してセルラー着信処理を行うと同時に、一定時間を計測するためのタイマーをスタートさせる（ステップＳＴ１３）。
【００５４】
そして、セルラー移動局１５から着信応答があるか否かを判別する（ステップＳＴ１４）。着信応答がない場合には、タイムアップ（一定時間経過）か否かを判別し（ステップＳＴ１５）、タイムアップでない場合にはステップＳＴ１４において着信応答の有無を判別する。
【００５５】
セルラー移動局１５から着信応答があったときは、一般電話網１３とセルラー移動局１５の接続処理を行う（ステップＳＴ１６）。
【００５６】
ステップＳＴ１２においてセルラー登録がされていない場合、又はステップＳＴ１５においてタイムアップした場合は、衛星登録がされているか否かを判別する（ステップＳＴ１７）。すなわち、衛星シングル移動局１６が位置登録されているか否かを判別する。
【００５７】
衛星登録されている場合には、衛星系交換局４に対して接続要求信号を送り、地上系制御基地局７を介してセルラー移動局１５に対してセルラー着信処理を行う（ステップＳＴ１８）。
【００５８】
共有メモリ１７に衛星シングル移動局１６が位置登録されてない場合には、移動通信網１０は一般電話網１３に対して、着信不可の信号を返す着信不可処理を行う（ステップＳＴ１９）。
【００５９】
ステップＳＴ１６におけるセルラー接続処理、ステップＳＴ１８における衛星着信処理、又はステップＳＴ１９における着信不可処理の後は、ステップＳＴ１１に移行して、次の接続要求信号の受信を待つ。
以上のように、地上系を優先するとともに、一定時間着信がなされなかった場合に衛星系へ切替えることにより、セルラー移動局１５が待ち受け状態であるが受信レベルの低下や輻輳等のために着信できない場合でも、自動的に衛星シングル移動局１６に着信するデュアル機能を可能にする。
【００６０】
参考例３．
上記参考例２では、着信時の動作において地上系を優先として、ある一定時間着信がなされなかった場合に衛星系へ切替えるようにしたが、地上系を優先として、ある一定回数の呼出音が鳴ってもセルラー移動局１５に着信がなされなかった場合に、衛星系へ切替えるようにしてもよい。
【００６１】
この場合も同様な効果を奏し、セルラー移動局１５が待ち受け状態であるが受信レベルの低下や輻輳等のために着信できない場合でも、自動的に衛星シングル移動局１６に着信するデュアル機能を可能にする。
【００６２】
参考例４．
上記参考例３では、着信時の動作において地上系を優先として、ある一定回数の呼出音が鳴っても着信がなされなかった時に衛星系へ切替えるようにしたが、呼出音の回数をユーザがセルラー移動局１５または衛星シングル移動局１６のマンマシンインタフェースを介して設定してもよい。
【００６３】
この場合には、例えば、セルラー移動局１５が待ち受け状態であるがそのユーザが着信に対してすぐに応答できない場合のように、ユーザの待ち受け状態に応じた呼び出し回数の設定ができるデュアル機能を可能にする。
【００６４】
参考例５．
上記参考例２又は３では、着信時の動作において地上系を優先として、ある一定時間の経過又はある一定回数の呼出音が鳴っても着信がなされなかった場合に衛星系へ切替えるようにしたが、地上系システム１１から衛星系システム６へ切り替える場合に、切り替えるか否かを発信側へ問い合わせるようにしてもよい。
【００６５】
この場合には、２つのシステムで課金等の条件が変わるような場合に、衛星系システム６へ切り替えるか否かを発信側で決定できるので、発信者の希望が反映されるデュアル機能を可能にする。
【００６６】
実施の形態１．
上記参考例１では、着信時の動作において衛星系を優先とし、上記参考例２ないし５では、地上系を優先するようにしたが、衛星系も地上系もどちらも位置登録されている場合には、セルラー移動局１５と衛星シングル移動局１６の両方に対して同時に接続要求信号を送り、先に着信処理が正常に終了した移動局に対して接続処理を行うようにしてもよい。
【００６７】
この場合には、デュアル機能を利用して迅速な着信処理を可能にする。
【００６８】
参考例６．
上記参考例１では、着信時の動作において衛星系を優先とし、上記参考例２ないし５では、地上系を優先するようにしたが、あらかじめ設定されている移動局を優先するようにしてもよい。例えばＳＩＭカード（subscriber  identify  module  card）が入っている移動局を優先するようにしてもよい。
【００６９】
この場合には、ＳＩＭカードによって加入者情報が更新された場合でも、その更新に対応できるデュアル機能を可能にする。
【００７０】
参考例７．
上記参考例１では、着信時の動作において衛星系を優先とし、上記参考例２ないし５では、地上系を優先するようにしたが、デュアル機能の移動局のユーザがセルラー移動局１５または衛星シングル移動局１６のマンマシンインタフェースから優先接続モードを設定するようにしてもよい。
図７はこの参考例７による着信制御処理のフローチャートである。
【００７１】
次に動作について説明する。
図１において、セルラー移動局１５か衛星シングル移動局１６のどちらを優先して接続するかの優先接続モード設定信号は、いずれの移動局からでも入力することが可能である。
【００７２】
優先接続モード設定信号がユーザからセルラー移動局１５のマンマシンインタフェースを介して入力された場合には、セルラー移動局１５は地上系制御基地局７を介してその優先接続モード設定信号を地上系交換局９へ送り、優先接続モードの情報は共有メモリ１７に記憶される。
【００７３】
優先接続モード設定信号がユーザから衛星シングル移動局１６のマンマシンインタフェースを介して入力された場合には、衛星シングル移動局１６は衛星系無線基地局１を経由してその優先接続モード設定信号を衛星系交換局４へ送り、優先接続モードの情報は共有メモリ１７に記憶される。
【００７４】
デュアル機能を実現するセルラー移動局１５と衛星シングル移動局１６の電話番号が同じである場合には、いずれの移動局のマンマシンインタフェースを介して優先接続モード設定信号が入力された場合でも、優先接続モードの情報は共有メモリ１７の同じメモリアドレス内に記録される。
【００７５】
セルラー移動局１５と衛星シングル移動局１６の電話番号が異なる場合には、優先接続モードの情報は共有メモリ１７の異なるメモリアドレス内に記録される。この場合において、セルラー移動局１５のメモリアドレス内に、セルラー移動局１５が優先接続モードか否かの情報が記録され、デュアル機能の相手である衛星シングル移動局１６のメモリアドレス内にも衛星シングル移動局１６が優先接続モードか否かの情報が記録される。
【００７６】
図７はこの参考例７による着信制御処理のフローチャートである。
移動通信網１０は、一般電話網１３からデュアル機能を有する移動局への接続要求信号を受信したか否かを判別し（ステップＳＴ２１）、受信したときは共有メモリ１７を検索し、優先接続モードが設定されているかを先ず確認する（ステップＳＴ２２）。
【００７７】
衛星系に優先して着信する優先接続モードが設定されている場合には、共有メモリ１７を検索して衛星登録がされているか否かを判別する（ステップＳＴ２３）。衛星登録がされている場合には、衛星着信処理を行う（ステップＳＴ２４）。衛星登録がされていない場合には、セルラー登録がされているか否かを判別する（ステップＳＴ２５）。セルラー登録がされている場合には、セルラー着信処理を行う（ステップＳＴ２６）。セルラー登録もされていない場合には、移動通信網１０は一般電話網１３に対して着信不可処理を行う（ステップＳＴ２７）。
【００７８】
一方、地上系に優先して着信する優先接続モードが設定されている場合には、共有メモリ１７を検索してセルラー登録がされているか否かを判別する（ステップＳＴ２８）。セルラー登録がされている場合には、セルラー着信処理を行う（ステップＳＴ２９）。セルラー登録がされていない場合には、衛星登録がされているか否かを判別する（ステップＳＴ３０）。衛星登録がされている場合には、衛星着信処理を行う（ステップＳＴ３１）。セルラー登録も衛星登録もされていない場合には、移動通信網１０は一般電話網１３に対して着信不可処理を行う（ステップＳＴ３２）。
【００７９】
優先接続モードが設定されていない場合には、共有メモリ１７に衛星登録がされているか否かを判別し（ステップＳＴ３３）、衛星登録がされている場合には、衛星系交換局４に対して接続要求信号を送り、衛星系無線基地局１から衛星２を介して衛星シングル移動局１６に対して衛星着信処理を行う（ステップＳＴ３４）。
【００８０】
一方、衛星登録がされてない場合には、セルラー登録がされているか否かを判別し（ステップＳＴ３５）、セルラー登録されている場合には、地上系交換局９に対して接続要求信号を送り、地上系制御基地局７を介してセルラー移動局１５に対してセルラー着信処理を行う（ステップＳＴ３６）。衛星登録もセルラー登録もされていない場合には、移動通信網１０は一般電話網１３に対して着信不可処理を行う（ステップＳＴ３７）。
【００８１】
衛星着信処理若しくはセルラー着信処理の後、又は着信不可処理の後は、ステップＳＴ２１に移行して、次の着信要求信号の受信を待つ。
【００８２】
以上のように、優先して着信する移動局をユーザの希望によって自在に選択することにより、デュアル機能をより一層活用することができる。
【００８３】
参考例８．
上記参考例７では、デュアル機能の移動局のユーザがセルラー移動局１５または衛星シングル移動局１６のマンマシンインタフェースから優先接続モードを設定するようにしたが、発信者が優先接続モードを設定するようにしてもよい。
【００８４】
この場合には、優先して着信する移動局を発信者の希望によって自在に選択することにより、デュアル機能をより一層活用することができる。
【００８５】
参考例９．
上記参考例７では、発信者がセルラー移動局１５または衛星シングル移動局１６のマンマシンインタフェースから優先接続モードを設定するようにしたが、デュアル機能を実現する電話番号が衛星系と地上系で異なる場合には、発信者が衛星系電話番号で電話をかけた時には衛星系を優先接続モードとし、地上系電話番号で電話をかけた時には地上系を優先接続モードとしてもよい。
【００８６】
この場合には、優先して着信する移動局をその電話番号によって選択することにより、
デュアル機能を合理的に活用することができる。
【００８７】
実施の形態２．
上記参考例８では、発信者がセルラー移動局１５または衛星シングル移動局１６のマンマシンインタフェースから優先接続モードを設定するようにしたが、地上系システム１１から衛星系システム６へ切り替える場合に、課金を発信者又は着信者のどちらが支払うかを発信側へ問い合わせるようにしてもよい。
【００８８】
この場合には、優先接続モードを設定する発信側で課金先を選択することができる。
【００８９】
実施の形態３．
上記実施の形態２では、地上系システム１１から衛星系システム６へ切り替える場合に、課金を発信者又は着信者のどちらかが支払うかを発信側へ問い合わせるようにしたが、着信側へ問い合わせるようにしてもよい。
【００９０】
この場合には、優先接続モードは発信側で設定し、課金先については着信側で選択することができる。
【００９１】
すなわち、上記実施の形態２又は１２によれば、課金を発信側にするか着信側にするかの選択機能を可能にする。
【００９２】
実施の形態４．
図８はこの実施の形態４による移動通信システムの接続制御方法が適用されるシステム図であり、図において、１８はセルラーメモリ、１９は衛星メモリである。他の構成については、図４の構成と同じであり、同一の符号で示し、その説明は省略する。
【００９３】
図９ないし図１３は、この実施の形態４による接続制御方法のフローチャートであり、さらに詳しくは、図９及び図１０は位置登録の制御動作を示し、図１１ないし図１３は着信制御動作を示している。
【００９４】
次に動作について説明する。
セルラー移動局１５は、地上系システム１１の信号を常に受信し、受信レベルが許容値以上である場合には、地上系サービスエリア５内にいると判断し、地上系制御基地局７を介して地上系交換局９へ位置登録を行い、その位置登録の情報はセルラーメモリ１８に記憶される。
【００９５】
衛星シングル移動局１６は衛星系システム６の信号を常に受信し、受信レベルが許容値以上になった場合には、衛星系サービスエリア３の圏内に入ったと判断して、衛星２から衛星系無線基地局１を経由して衛星系交換局４へ位置登録をする信号を送り、位置情報の変更を行う。
【００９６】
衛星系交換局４は、図９のフローチャートにおいて、衛星２を介して衛星シングル移動局１６から位置情報の変更があるか否かを判別する（ステップＳＴ４１）。位置登録の変更（サービスエリアの圏内：Accept）があったときは、その位置登録の情報は衛星メモリ１９に記憶される。更にこの場合、衛星系交換局４は、地上系交換局９に対して、デュアル機能の相手であるセルラー移動局１５の位置登録の情報に対する無効信号を送出する（ステップＳＴ４２）。
【００９７】
衛星シングル移動局１６は、衛星系システム６の受信レベルが許容値未満になると、衛星系サービスエリア３の圏外に出たと判断して、衛星２を介して衛星系交換局４へ衛星登録を削除する信号を送り、位置登録の変更を行う。
【００９８】
衛星系交換局４は、図９のフローチャートにおいて、衛星２を介して衛星シングル移動局１６から位置情報の変更があるか否かを判別し（ステップＳＴ４１）、位置登録解除の変更（サービスエリアの圏外：Reject）があったときは、衛星メモリ１９に記憶されている位置登録を削除する。更にこの場合、衛星系交換局４は地上系交換局９に対して、デュアル機能の相手であるセルラー移動局１５の位置登録の情報に対する有効信号を送出する（ステップＳＴ４３）。
【００９９】
地上系交換局９は、図１０のフローチャートにおいて、衛星系から信号が有るか否かを判別し（ステップＳＴ５１）、信号が有ったときはその信号内容を判別する（ステップＳＴ５２）。信号内容が無効信号である場合には、セルラーメモリ１８内の指示されたセルラーの状態を無効にする（ステップＳＴ５３）。信号内容が有効信号である場合には、セルラーメモリ１８内の指示されたセルラーの状態を有効にする（ステップＳＴ５４）。
【０１００】
一般電話網１３は、加入者電話１４からデュアル機能を有する移動局への接続要求信号を受信すると、先ず移動通信網１０に対して接続要求信号を送信する。
【０１０１】
移動通信網１０を管理している地上系交換局９は、図１１のフローチャートにおいて、接続要求信号を受信したか否かを判別し（ステップＳＴ６１）、受信したときは、セルラーメモリ１８にセルラー移動局１５が位置登録されていて、かつその位置登録が有効であるか否かを判別する（ステップＳＴ６２）。位置登録が有効な場合には、地上系制御基地局７を介してセルラー移動局１５に対して着信処理を行う（ステップＳＴ６３）。セルラーメモリ１８にセルラー移動局１５が位置登録されていない場合か、又は位置登録が無効な場合には、移動通信網１０から一般電話網１３へは着信不可が返される（ステップＳＴ６４）。すなわち、着信不可処理を行う。
【０１０２】
着信不可が返されると、一般電話網１３は、衛星通信網５に対して接続要求信号を送る。
【０１０３】
衛星通信網５を管理する衛星系交換局４は、図１２のフローチャートにおいて、接続要求信号を受信したか否かを判別し（ステップＳＴ７１）、受信したときは、衛星メモリ１９に衛星シングル移動局１６が位置登録されているか否かを判別する（ステップＳＴ７２）。位置登録がされている場合には、衛星系無線基地局１から衛星２を介して衛星シングル移動局１６に対して着信処理を行う（ステップＳＴ７３）。衛星メモリ１９に衛星シングル移動局１６が位置登録されていない場合には、衛星通信網５から一般電話網１３へは着信不可が返される（ステップＳＴ７４）。
【０１０４】
図１３は、一般電話網１３の着信制御処理のフローチャートである。
一般電話網１３は、加入者電話１４から着信接続要求信号を受信したか否かを判別し（ステップＳＴ８１）、受信したときは、先ず地上系へ着信要求信号を送出する（ステップＳＴ８２）。そして、地上系からの応答があるか否かを判別する（ステップＳＴ８３）。着信受諾（ＯＫ）の応答があったときは、衛星着信処理を行う（ステップＳＴ８４）。
【０１０５】
着信不可（ＮＧ）の応答があったときは、衛星系へ着信要求信号を送信する（ステップＳＴ８５）。そして、衛星系からの応答があるか否かを判別する（ステップＳＴ８６）。着信受諾（ＯＫ）の応答があったときは、衛星着信処理を行う（ステップＳＴ８７）。着信不可（ＮＧ）の応答があったときは、加入者電話１４に対して着信不可処理を行う（ステップＳＴ８８）。
【０１０６】
以上のように、衛星系システムが地上系システムを制御して、デュアル機能の相手であるセルラー移動局１５の位置登録を無効または有効とすることにより、衛星シングル移動局１６が衛星系システムに位置登録するだけで、地上系システムにおけるセルラー移動局１５の位置登録を制御できる。
【０１０７】
実施の形態５．
上記実施の形態４では、衛星シングル移動局１６の位置登録状態に合わせて、衛星系が地上系を制御して、デュアル機能の相手であるセルラー移動局１５の位置登録を無効または有効とするようにしたが、一般電話網１３が常に衛星系と地上系を管理し、衛星シングル移動局１６の位置登録の状態に合わせて、一般電話網１３から地上系に対して、デュアル機能の相手であるセルラー移動局１５の位置登録を無効または有効としてもよい。
【０１０８】
この場合には、発信者の加入者電話１４が接続されている一般電話網１３が常に衛星系と地上系を管理しているので、発信者からの着信要求に対して効率的にデュアル機能を活用することができる。
【０１０９】
実施の形態６．
上記実施の形態４では、衛星シングル移動局１６の位置登録の状態に合わせて、衛星系が地上系を制御して、デュアル機能の相手であるセルラー移動局１５の位置登録を無効または有効とするようにしたが、移動通信網１０が常に衛星系を管理し、衛星メモリ１９の情報を取り込み、衛星シングル移動局１６の位置登録の状態に合わせて、デュアル機能の相手であるセルラー移動局１５の位置登録を無効または有効としてもよい。
【０１１０】
この場合にも上記実施の形態４と同様に、地上系システムが衛星系システムを制御して、デュアル機能の相手である衛星シングル移動局１６の位置登録を無効または有効とすることにより、セルラー移動局１５が地上系システムに位置登録するだけで、衛星系システムにおける衛星シングル移動局１６の位置登録を制御できる。
【０１１１】
実施の形態７．
上記実施の形態４では、衛星シングル移動局１６の位置登録状態に合わせて、衛星系が地上系を制御して、デュアル機能の相手であるセルラー移動局１５の位置登録を無効または有効とするようにしたが、一般電話網１３が衛星系と地上系を管理し、衛星メモリ１９とセルラーメモリ１８の情報を取込んで、一般メモリに記憶することによって直接に接続制御を行うようにしてもよい。
【０１１２】
この場合も上記実施の形態４の場合と同様に、地上系システムが衛星系システムを制御して、デュアル機能の相手である衛星シングル移動局１６の位置登録を無効または有効とすることにより、セルラー移動局１５が地上系システムに位置登録するだけで、衛星系システムにおける衛星シングル移動局１６の位置登録を制御できる。
【０１１３】
実施の形態８．
上記実施の形態７では、一般電話網１３が衛星系と地上系の情報を取り込み直接制御するようにしたが、衛星通信網５が地上系を管理し、セルラーメモリ１８の情報を取り込んで衛星メモリ１９に記憶しておき、接続要求があると一般電話網１３は衛星通信網５へ接続要求を送り、衛星通信網５が直接地上系の接続制御を行うようにしてもよい。
【０１１４】
この場合も上記実施の形態４の場合と同様に、地上系システムが衛星系システムを制御して、デュアル機能の相手である衛星シングル移動局１６の位置登録を無効または有効とすることにより、セルラー移動局１５が地上系システムに位置登録するだけで、衛星系システムにおける衛星シングル移動局１６の位置登録を制御できる。
【０１１５】
実施の形態９．
上記実施の形態７では、一般電話網１３が衛星系と地上系の情報を取り込み直接制御するようにしたが、移動通信網１０が衛星系を管理し、衛星メモリ１９の情報を取り込んでセルラーメモリ１８に記憶しておき、接続要求があると一般電話網１３は移動通信網１０へ接続要求を送り、移動通信網１０が直接衛星系の接続制御を行ってもよい。
【０１１６】
この場合も上記実施の形態４の場合と同様に、地上系システムが衛星系システムを制御して、デュアル機能の相手である衛星シングル移動局１６の位置登録を無効または有効とすることにより、セルラー移動局１５が地上系システムに位置登録するだけで、衛星系システムにおける衛星シングル移動局１６の位置登録を制御できる。
【０１１７】
実施の形態１０．
図１４は、この実施の形態１０による移動通信システムの接続制御方法が適用されるシステム図であり、図において、６Ａ及び６Ｂは２つの系統の衛星系システム、１１は地上系システム、１３は一般電話網である。２系統の衛星系システム６Ａ及び６Ｂ、並びに地上系システム１１は、それぞれ一般電話網１３に接続することができる。
【０１１８】
衛星系システム６Ａにおいて、１Ａ−１，１Ａ−２，１Ａ−３は複数の衛星系無線基地局、２Ａ−１，２Ａ−２，２Ａ−３はそれぞれ衛星系無線基地局１Ａ−１，１Ａ−２，１Ａ−３との間で無線通信を行う複数の衛星、３Ａ−１，３Ａ−２，３Ａ−３は、複数の衛星系サービスエリア、４Ａ−１，４Ａ−２，４Ａ−３はそれぞれ衛星系無線基地局１Ａ−１，１Ａ−２，１Ａ−３に接続された衛星系交換局、５Ａは衛星系交換局４Ａ−１，４Ａ−２，４Ａ−３に接続され、衛星系システム６Ａと一般電話網１３とを接続する衛星通信網、１６Ａは衛星系システム６Ａにおける衛星シングル移動局である。
【０１１９】
衛星系システム６Ｂにおいて、１Ｂ−１，１Ｂ−２は複数の衛星系無線基地局、２Ｂ−１，２Ｂ−２はそれぞれ衛星系無線基地局１Ｂ−１，１Ｂ−２との間で無線通信を行う複数の衛星、３Ｂ−１，３Ｂ−２は、複数の衛星系サービスエリア、４Ｂ−１，４Ｂ−２はそれぞれ衛星系無線基地局１Ｂ−１，１Ｂ−２に接続された衛星系交換局、５Ｂは衛星系交換局４Ｂ−１，４Ｂ−２に接続され、衛星系システム６Ｂと一般電話網１３とを接続す
る衛星通信網、１６Ｂは衛星系システム６Ｂにおける衛星シングル移動局である。
【０１２０】
なお、地上系システム１１は、上記各実施の形態４と同じ構成であり、同一の符号で示すとともにその説明は省略する。
【０１２１】
次に動作について説明する。
衛星シングル移動局１６Ａは、衛星系システム６Ａの複数の衛星２Ａ−１，２Ａ−２，２Ａ−３のいずれの衛星とも、その衛星に対応する衛星系サービスエリア３Ａ−１，３Ａ−２，３Ａ−３において、その衛星を介して対応する衛星系無線基地局１Ａ−１，１Ａ−２，１Ａ−３と無線通信を行う。そして、衛星シングル移動局１６Ａは、衛星系システム６Ａにおけるいずれの衛星系サービスエリア３Ａ−１，３Ａ−２，３Ａ−３においても、衛星通信網５Ａに対して衛星登録をすることができる。
【０１２２】
同様に、衛星シングル移動局１６Ｂは、衛星系システム６Ｂの複数の衛星２Ｂ−１，２Ｂ−２のいずれの衛星とも、その衛星に対応する衛星系サービスエリア３Ｂ−１，３Ｂ−２において、その衛星を介して対応する衛星系無線基地局４Ｂ−１，４Ｂ−２と無線通信を行う。そして、衛星シングル移動局１６Ｂは、衛星系システム６Ｂにおけるいずれの衛星系サービスエリア３Ｂ−１，３Ｂ−２においても、衛星通信網５Ｂに対して衛星登録をすることができる。
【０１２３】
一方、セルラー移動局１５は、上記参考例１又は実施の形態４の場合と同様に、地上系サービスエリア８−１，８−２において移動通信網１０に対してセルラー登録をすることができる。更にセルラー移動局１５は、衛星シングル移動局１６Ａ及び衛星シングル移動局１６Ｂのいずれともデュアル機能を有する。
【０１２４】
したがって、一般電話網１３は、加入者電話（図示せず）から着信要求信号を受信すると、上記各実施の形態と同様の接続制御方法により、衛星シングル移動局１６Ａ、衛星シングル移動局１６Ｂ、又はセルラー移動局１５のいずれかが位置登録されている場合には、デュアル機能を活用してその移動局に対して着信処理を行うことができる。
【０１２５】
以上のように、２系統の衛星系システムと１系統の地上系システムの場合であっても、セルラー移動局１５と２つの衛星シングル移動局１６Ａ，１６Ｂを用いて、いずれの移動局にも着信できるデュアル機能を可能にする。
【０１２６】
なお、この場合において、衛星系システムを２系統としたが、３系統以上の衛星系システムであっても、デュアル機能を活用して位置登録されている移動局に対して着信処理を行うことができる。
【０１２７】
実施の形態１１．
図１５は、この発明の実施の形態１１による移動通信システムの接続制御方法が適用されるシステム図であり、図において、６は衛星系システム、１１Ａ，１１Ｂは２系統の地上系システム、１３は一般電話網である。衛星系システム６、並びに、２系統の地上系システム１１Ａ，１１Ｂは、それぞれ一般電話網１３に接続することができる。
【０１２８】
衛星系システム６において、１−１，１−２，１−３は複数の衛星系無線基地局、２−１，２−２，２−３はそれぞれ衛星系無線基地局１−１，１−２，１−３との間で無線通信を行う複数の衛星、３−１，３−２，３−３は、複数の衛星系サービスエリア、４−１，４−２，４−３はそれぞれ衛星系無線基地局１−１，１−２，１−３に接続された衛星系交換局、５は衛星系交換局４−１，４−２，４−３に接続され、衛星系システム６と一般電話網１３とを接続する衛星通信網、１６は衛星系システム６における衛星シングル移動局である。
【０１２９】
地上系システム１１Ａにおいて、７Ａ−１，７Ａ−２は地上系制御基地局、８Ａ−１，８Ａ−２は地上系サービスエリア、９Ａ−１，９Ａ−２は地上系交換局、１０Ａは移動通信網、１５Ａは地上系システム１１Ａにおけるセルラー移動局である。
【０１３０】
地上系システム１１Ｂにおいて、７Ｂ−１，７Ｂ−２は地上系制御基地局、８Ｂ−１，８Ｂ−２は地上系サービスエリア、９Ｂ−１，９Ｂ−２は地上系交換局、１０Ｂは移動通信網、１５Ｂは地上系システム１１Ｂにおけるセルラー移動局である。
【０１３１】
次に動作について説明する。
衛星シングル移動局１６は、衛星系システム６の複数の衛星２−１，２−２，２−３のいずれの衛星とも、その衛星に対応する衛星系サービスエリア３−１，３−２，３−３において、その衛星を介して対応する衛星系無線基地局１−１，１−２，１−３と無線通信を行う。そして、衛星シングル移動局１６は、衛星系システム６におけるいずれの衛星系サービスエリア３−１，３−２，３−３においても、衛星通信網５に対して衛星登録をすることができる。
【０１３２】
一方、セルラー移動局１５Ａは、地上系システム１１Ａの複数の地上系サービスエリア８Ａ−１，８Ａ−２において、対応する地上系制御基地局７Ａ−１，７Ａ−２及び地上系交換局９Ａ−１，９Ａ−２を介して、移動通信網１０Ａに対してセルラー登録をすることができる。更にセルラー移動局１５Ａは、衛星シングル移動局１６とデュアル機能を有する。
【０１３３】
同様に、セルラー移動局１５Ｂは、地上系システム１１Ｂの複数の地上系サービスエリア８Ｂ−１，８Ｂ−２において、対応する地上系制御基地局７Ｂ−１，７Ｂ−２及び地上系交換局９Ｂ−１，９Ｂ−２を介して、移動通信網１０Ｂに対してセルラー登録をすることができる。更にセルラー移動局１５Ｂは、衛星シングル移動局１６とデュアル機能を有する。
【０１３４】
したがって、一般電話網１３は、加入者電話（図示せず）から着信要求信号を受信すると、上記各実施の形態と同様の接続制御方法により、衛星シングル移動局１６、セルラー移動局１５Ａ、又はセルラー移動局１５Ｂのいずれかが位置登録されている場合には、デュアル機能を活用してその移動局に対して着信処理を行うことができる。
【０１３５】
以上のように、１系統の衛星系システムと２系統の地上系システムの場合であっても、２つのセルラー移動局１５Ａ，１５Ｂと衛星シングル移動局１６を用いて、いずれの移動局にも着信できるデュアル機能を可能にする。
【０１３６】
なお、この場合において、地上系システムを２系統としたが、３系統以上の地上系システムであっても、デュアル機能を活用して位置登録されている移動局に対して着信処理を行うことができる。
【図面の簡単な説明】
【０１３７】
【図１】従来の移動通信システムの一例を示すシステム構成図である。
【図２】従来の移動通信システムにおける着信制御を示す図である。
【図３】従来の移動通信システムの他の一例を示すシステム構成図である。
【図４】この発明の参考例１による移動通信システムの接続制御方法が適用されるシステム構成図である。
【図５】この発明の参考例１による移動通信システムの接続制御方法のフローチャートである。
【図６】この発明の参考例２による移動通信システムの接続制御方法のフローチャートである。
【図７】この発明の参考例７による移動通信システムの接続制御方法のフローチャートである。
【図８】この発明の実施の形態４による移動通信システムの接続制御方法が適用されるシステム構成図である。
【図９】この発明の実施の形態４による移動通信システムの動作を示すフローチャートである。
【図１０】この発明の実施の形態４による移動通信システムの動作を示すフローチャートである。
【図１１】この発明の実施の形態４による移動通信システムの動作を示すフローチャートである。
【図１２】この発明の実施の形態４による移動通信システムの動作を示すフローチャートである。
【図１３】この発明の実施の形態４による移動通信システムの動作を示すフローチャートである。
【図１４】この発明の実施の形態１０による移動通信システムの接続制御方法が適用されるシステム構成図である。
【図１５】この発明の実施の形態１１による移動通信システムの接続制御方法が適用されるシステム構成図である。
【図１】
0003609375.tif 000002
【図２】
0003609375.tif 000003
【図３】
0003609375.tif 000004
【図４】
0003609375.tif 000005
【図５】
0003609375.tif 000006
【図６】
0003609375.tif 000007
【図７】
0003609375.tif 000008
【図８】
0003609375.tif 000009
【図９】
0003609375.tif 000010
【図１０】
0003609375.tif 000011
【図１１】
0003609375.tif 000012
【図１２】
0003609375.tif 000013
【図１３】
0003609375.tif 000014
【図１４】
0003609375.tif 000015
【図１５】
0003609375.tif 000016